(57)【要約】【課題】漏洩電磁波による画面情報の漏洩を抑制する。【解決手段】調整部１２が、画像を構成する各画素の輝度に白色信号を印加する、あるいは、画素の輝度を一次変換して表示画像のコントラストを低下させる。これにより、漏洩電磁波から再現される画像情報は近似的に無地画像となり、情報漏洩を抑制することができる。【選択図】図１
2009258213.tif 000002
【特許請求の範囲】
【請求項１】
カラー画面を構成する画素の輝度を入力する入力手段と、
前記カラー画面のコントラストが低下するように前記輝度の各色成分を調整する調整手段と、
輝度を調整した前記画素に基づいてアナログ信号を生成する信号生成手段と、
を有することを特徴とする画面情報保護装置。
【請求項２】
前記調整手段は、白色信号を印加することにより前記輝度を調整することを特徴とする請求項１記載の画面情報保護装置。
【請求項３】
前記調整手段は、前記輝度の各色成分を一次変換することにより前記輝度を調整することを特徴とする請求項１記載の画面情報保護装置。
【請求項４】
入力手段により、カラー画面を構成する画素の輝度を入力するステップと、
調整手段により、前記カラー画面のコントラストが低下するように前記輝度の各色成分を調整するステップと、
信号生成手段により、輝度を調整した前記画素に基づいてアナログ信号を生成するステップと、
を有することを特徴とする画面情報保護方法。
【請求項５】
前記輝度を調整するステップは、白色信号を印加することにより前記輝度を調整することを特徴とする請求項４記載の画面情報保護方法。
【請求項６】
前記輝度を調整するステップは、前記輝度の各色成分を一次変換することにより前記輝度を調整することを特徴とする請求項４記載の画面情報保護方法。
【発明の詳細な説明】
【技術分野】
【０００１】
本発明は、漏洩電磁波による画面情報の漏洩を抑制する技術に関する。
【背景技術】
【０００２】
インターネットの普及等によりパソコンが社会生活の様々な場面で用いられるようになった。個人情報等、パソコンで扱う情報の重要度が増し、これまで以上にセキュリティ対策が重要になっている。
【０００３】
パソコン等の情報機器から意図されずに放射される漏洩電磁波を介して、これらの重要な情報が盗まれる危険性が指摘されている。情報機器とモニタ装置を接続する伝送ケーブルやモニタ装置から放射される漏洩電磁波を受信することで、モニタ装置に映し出された画面を再現することができる。
【０００４】
このような画面情報の漏洩を防止するため、画面情報信号と同期させた擬似信号を発生させる技術が開示されている（特許文献１参照）。
【特許文献１】特開２００７−０６０３８４号公報
【発明の開示】
【発明が解決しようとする課題】
【０００５】
しかしながら、特許文献１に開示された技術は、画面情報信号に同期させた信号を発生させる特殊なハードウェアが必要であることから、簡便性やコスト面で容易に利用できないという問題がある。また、不要電磁波を発生させるため、周囲の電磁環境に悪影響を与える可能性があるという問題もある。
【０００６】
本発明は、上記に鑑みてなされたものであり、その課題とするところは、特殊なハードウエアを必要としない簡易な方法で、漏洩電磁波による画面情報の漏洩を抑制することにある。
【課題を解決するための手段】
【０００７】
第１の本発明に係る画面情報保護装置は、カラー画面を構成する画素の輝度を入力する入力手段と、カラー画面のコントラストが低下するように輝度の各色成分を調整する調整手段と、輝度を調整した画素に基づいてアナログ信号を生成する信号生成手段と、を有することを特徴とする。
【０００８】
本発明にあっては、調整手段において画素の輝度を調整してカラー画面のコントラストを低下させることにより、漏洩電磁波から再現される画面情報は近似的に無地画面となるので、情報漏洩の抑制が可能となる。これは、漏洩電磁波を受信して再現される画面情報が白黒画面となることに着目したものである。
【０００９】
上記画面情報保護装置において、調整手段は、白色信号を印加することにより輝度を調整することを特徴とする。
【００１０】
本発明にあっては、各画素に白色信号を印加することにより、カラー画面のコントラストが低下するので、情報漏洩の抑制が可能となる。
【００１１】
上記画面情報保護装置において、調整手段は、輝度の各色成分を一次変換することにより輝度を調整することを特徴とする。
【００１２】
本発明にあっては、カラー画面のコントラストが低下するように各色成分の輝度を一次変換することで、情報漏洩の抑制が可能となる。
【００１３】
第２の本発明に係る画面情報保護方法は、入力手段により、カラー画面を構成する画素の輝度を入力するステップと、調整手段により、カラー画面のコントラストが低下するように輝度の各色成分を調整するステップと、信号生成手段により、輝度を調整した画素に基づいてアナログ信号を生成するステップと、を有することを特徴とする。
【００１４】
上記画面情報保護方法において、輝度を調整するステップは、白色信号を印加することにより輝度を調整することを特徴とする。
【００１５】
上記画面情報保護方法において、輝度を調整するステップは、輝度の各色成分を一次変換することにより輝度を調整することを特徴とする。
【発明の効果】
【００１６】
本発明によれば、特殊なハードウエアを必要としない簡易な方法で、漏洩電磁波による画面情報の漏洩を抑制することができる。
【発明を実施するための最良の形態】
【００１７】
［第１の実施の形態］
第１の実施の形態について図面を用いて説明する。図１は、本実施の形態における画面情報保護装置の構成を示すブロック図である。同図に示す画面情報保護装置１は、入力部１１、調整部１２および信号生成部１３を備える。画面情報保護装置１は、伝送ケーブル等の伝送部４を介してモニタ装置等の表示部５へ画面信号を出力する。本画面情報保護装置１は、モニタ装置を接続したコンピュータ等に備えられ、漏洩電磁波による情報漏洩を防止する。
【００１８】
入力部１１は、画面を構成する各画素の輝度Ｉを入力する。輝度Ｉの赤（Ｒ）、緑（Ｇ）、青（Ｂ）成分をそれぞれＩR、ＩG、ＩBと表し、それらの総称をＩX，X=R,G,B と表記するものとする。ここで、０≦ＩX≦１、つまり、輝度の各成分ＩXの最高値を１に規格化して扱うものとする。なお、ＩXは、輝度Ｉの成分であることから、次式を満たす。
【００１９】
【数１】
2009258213.tif 000003
【００２０】
調整部１２は、表示部１５に表示される表示画面のコントラストが低くなるように、入力部１１が入力した各画素に白色信号を印加する。つまり、輝度の各成分ＩXに白色信号の強度ΔＩを加える。白色信号の強度ΔＩは、次式で算出する。
【００２１】
【数２】
2009258213.tif 000004
【００２２】
算出した白色信号の強度ΔＩを輝度の各成分ＩXに印加する。
【００２３】
【数３】
2009258213.tif 000005
【００２４】
ここで、ｃは、チューニングパラメータであり、０から１の間でセキュリティレベルに応じて調節するものとする。ｃ＝０のときは、白色信号は印加されず、ｃ＝１のときに印加される白色信号の強度が最大となる。
【００２５】
信号生成部１３は、白色信号が印加された画素をアナログ信号に変換し、伝送部４を介して表示部５へ出力する。
【００２６】
このように、調整部１２が画面に白色信号を印加することにより、表示画面のコントラストが低下する。漏洩電磁波を受信して再現される画面情報は白黒画面であるので、コントラストを低下させた表示画面の漏洩電磁波から再現される画面情報は近似的に無地画面となり、漏洩電磁波からの情報漏洩を抑制することができる。
【００２７】
なお、表示部５で表示される表示画面は、元の画面に白色信号を印加したものであるので、色が変化して元の画面より見づらくなっている。本発明が対象とする画面は、色が変化しても意味や内容が変化しない文字やグラフで表されたものである。
【００２８】
したがって、本実施の形態によれば、調整部１２が、画面を構成する各画素の輝度に白色信号を印加することにより、表示画面のコントラストが低下するので、漏洩電磁波から再現される画面情報は近似的に無地画面となり、情報漏洩を抑制することができる。
【００２９】
［第２の実施の形態］
次に、第２の実施の形態について説明する。第２の実施の形態における画面情報保護装置は、図１を用いて説明した第１の実施の形態における画面情報保護装置と同様に、入力部１１、調整部１２および信号生成部１３を備える。入力部１１および信号生成部１３の各処理は、第１の実施の形態で説明した各処理と同様であるので重複説明は省略し、第１の実施の形態と処理の異なる調整部１２について説明する。
【００３０】
第２の実施の形態における調整部１２は、表示部１５に表示される表示画面のコントラストが低くなるように、入力部１１が入力した各画素の輝度を一次変換する。具体的には、輝度の各成分ＩXを変換係数ａを用いて一次変換する。変換係数ａは、次式で算出する。
【００３１】
【数４】
2009258213.tif 000006
【００３２】
算出した変換係数ａを用いて輝度の各成分ＩXを一次変換する。
【００３３】
【数５】
2009258213.tif 000007
【００３４】
ここで、ｂとｃは、チューニングパラメータであり、それぞれ０＜ｂ≦１，０＜ｃ≦１の間でセキュリティレベルに応じて調節するものとする。ｂは画面全体の輝度を調節するパラメータであり、１に近づけるほど画面全体が明るくなる。ｃはコントラストを調節するパラメータであり、０に近づけるほどコントラストが低くなり、セキュリティレベルが高くなる。
【００３５】
したがって、本実施の形態によれば、調整部１２が画素の輝度を一次変換して表示画面のコントラストが低下させることにより、漏洩電磁波から再現される画面情報は近似的に無地画面となり、情報漏洩を抑制することができる。
【図面の簡単な説明】
【００３６】
【図１】一実施の形態における画面情報保護装置の構成を示すブロック図である。
【符号の説明】
【００３７】
１…画面情報保護装置
１１…入力部
１２…調整部
１３…信号生成部
４…伝送部
５…表示部
【図１】
2009258213.tif 000008